(57)【要約】【課題】立設状態の絶縁碍子に取り付けることができる簡易足場を提供する。【解決手段】立設状態の絶縁碍子２に取り付けられる簡易足場であって、半割れ状に形成されて開閉自在かつ閉状態でロック可能な一対の足場板１１，１２の内面に、閉状態にて、絶縁碍子２のフランジ状部８に掛止可能な掛止部１５を設けてなる。その掛止部１５は、前記一対の足場板１１，１２の内面に凹環状に形成し、前記フランジ状部８に対して被嵌状態に掛止させるようにしてもよい。【選択図】  図２
2006104796.tif 000002
【特許請求の範囲】
【請求項１】
立設状態の絶縁碍子（２）に取り付けられる簡易足場であって、
半割れ状に形成されて開閉自在かつ閉状態でロック可能な一対の足場板（１１，１２）の内面に、閉状態にて、絶縁碍子（２）のフランジ状部（８）に掛止可能な掛止部（１５）を設けてなることを特徴とする簡易足場。
【請求項２】
前記掛止部（１５）は、前記一対の足場板（１１，１２）の内面に凹環状に形成され、前記フランジ状部（８）に対して被嵌状態に掛止することを特徴とする請求項１に記載の簡易足場。
【発明の詳細な説明】
【技術分野】
【０００１】
本発明は、立設状態の絶縁碍子に取り付けられる簡易足場に係り、特に、変電所等の高電圧回路に設けられる遮断器や断路器等の線路開閉器及びその周辺を保守・点検するための簡易足場に関する。
【背景技術】
【０００２】
変電所等の高電圧回路に設けられる線路開閉器は、高い絶縁性が求められるため、絶縁碍子群の上に配設され、その主回路点検部は定期的に点検される。例えば、図６に示すように、２０００Ａ以上の大電流が流れる回路に設けられる線路開閉器１は、８００ｍｍ程度の高さの絶縁碍子２を架台３の上に二段に積み重ねて所定間隔で３行３列に配列した９本の絶縁碍子２，２群の上に配設される。
【０００３】
線路開閉器１は、それぞれ中央に立設された絶縁碍子２，２上に回動中心を有して両側に立設される絶縁碍子２，２に差し渡され、かつ、水平面内で回動操作される３つのブレード４を有し、各ブレード４は、架台３の下部に配設された駆動装置５によって駆動される操作ロッド６に連結されたリンク機構（図示省略）により、図示の開路状態と、７０°回動した閉路状態（図示省略）とに同期操作される。
【０００４】
このような線路開閉器１及びその周辺を保守・点検する際には、作業者７は、例えば、上下の絶縁碍子２，２間のフランジ状部８に足を掛けると共に、腰のベルトに繋いだ命綱９を上の絶縁碍子２と上フランジ１０の間に巻き付けることによって身体を支え、９本の二段積み絶縁碍子２，２を順次移動しつつ作業を行っていた。
【０００５】
ちなみに、通信用線路及び給電線用路（架空用）の張り替え、修理等の作業用として、電柱に取り付け可能な簡易足場が提案されている（例えば、特許文献１参照）。これは、電柱に巻き付けてロック状態で固定できるようにした金属製のリング足場に、作業者の足を載せる足場ボルトを取り付けたものである。しかし、このような金属製のリング足場を、絶縁碍子に取り付けることはできない。
【０００６】
【特許文献１】実開平６−７７４１３号公報
【発明の開示】
【発明が解決しようとする課題】
【０００７】
上述のように、上下の絶縁碍子２，２間のフランジ状部８に足を掛けて線路開閉器１を点検する場合、そのフランジ状部８の表面は、ボルトの頭部が突出しており、かつ、狭隘で充分なスペースがないため、安定な状態で足を載せることができず、足が疲労しやすいという問題があった。つまり、保守・点検作業時の足場条件がよくなかった。
【０００８】
本発明は、このような実情に鑑みてなされ、立設状態の絶縁碍子に安定に取り付けることができる簡易足場を提供することを目的とする。
【課題を解決するための手段】
【０００９】
本発明の簡易足場は、立設状態の絶縁碍子２に取り付けられる簡易足場にあって、
半割れ状に形成されて開閉自在かつ閉状態でロック可能な一対の足場板１１，１２の内面に、閉状態にて、絶縁碍子２のフランジ状部８に掛止可能な掛止部１５を設けてなることを特徴とする。
【００１０】
このような構成によれば、一対の足場板１１，１２の内面に形成された掛止部１５を、例えば、二段積みに立設された絶縁碍子２，２間に接続用として設けられているフランジ状部８等に掛止させてロックすることで、足場板１１，１２を安定に固定することができる。従って、作業者は、その足場板１１，１２に足を載せて安定な状態で、絶縁碍子２，２の上に載設されている変電機器（例えば、線路開閉器）及びその周辺等の点検・保守作業を行うことができる。このような簡易足場では、前記掛止部１５を、前記一対の足場板１１，１２の内面に凹環状に形成し、前記フランジ状部８に対して被嵌状態に掛止させるようにしてもよい。
【発明の効果】
【００１１】
本発明の簡易足場は、半割れ状に形成された一対の足場板の内面に形成された掛止部をフランジ状部に掛止させてロックすることで足場板を固定できるので、作業者は、その足場板に足を載せて安定な状態で変電機器（例えば、線路開閉器）及びその周辺等の保守・点検作業を行うことができる。
【発明を実施するための最良の形態】
【００１２】
以下に、本発明の最良の実施の形態に係る簡易足場について図面を参照しつつ詳細に説明する。なお、背景技術で図６を引用して説明した部材と同一乃至は同等の部材については同一符号を付しその説明を省略する。
【００１３】
〔実施の形態１〕
図１は閉じた状態の足場の平面図、図２はその側面図、図３は上下の絶縁碍子２，２のフランジ接続部（フランジ状部）８に固定状態でロックした簡易足場の側面図である。これらの図にて、符号１１，１２は、半割れ状に形成された一対の足場板（例えば、合板、型成形された合成樹脂材等からなる）、１３は、一対の足場板１１，１２を開閉自在に接続するための蝶番、１４は、一対の足場板１１，１２を閉状態にてロックするためのロック部材、１５は、足場板１１，１２の円弧状のくり抜き部Ｃの内面に形成された掛止部で、金属製のフランジ状部８に対して被嵌状態に掛止させることができるように凹環状に形成される。
【００１４】
ロック部材１４の構成について説明すると、一方の足場板１１の角部に形成したボルト孔に貫通させたボルト１６がナット１７によって締結されると共に、そのボルト１６の中間部に回動自在に連結されたロックバー１８を嵌合させるための凹部が両足場板１１，１２の端面に形成され、図１乃至図３に示すように、両足場板１１，１２が閉じられてロックされた状態では、ロックバー１８が凹部に収納され、ロックバー１８の先端に形成した螺子部１８ａに螺合する蝶ナット１９の締め付けによって、両足場板１１，１２が閉状態に押圧され一体化されている。このようなロック状態から、蝶ナット１９を緩めることによって、ロックバー１８を、図１に矢印Ｙで示す方向（時計回り）に、ボルト１６を軸として回動させれば、両足場板１１，１２を開くことができる。
【００１５】
このような簡易足場を、図３に示すように、フランジ状部８に掛止させるには、まず、図１に示す両足場板１１，１２が閉じた状態にて、蝶ナット１９を緩め、ロックバー１８を、図１に矢印Ｙで示す方向（時計回り）に回動させて、両足場板１１，１２のロック状態を解除して両足場板１１，１２を開き、フランジ状部８に掛止部１５を被嵌させた後、ロックバー１８を、図１の矢印Ｙ方向とは逆方向に回動させて、足場板１１，１２の端面に形成した凹部に収納して蝶ナット１９を締め付ければよい。この状態では、両足場板１１，１２はフランジ状部８に廻り止め状態で安定に掛止し、その掛止状態がロックされている。
【００１６】
このようなロック状態では、図４に示すように、作業者７は、絶縁碍子２を挟むような態勢で両足を両足場板１１，１２の上に安定に載せることができ、かつ、その上で充分移動（旋回）することができる。ちなみに、両足場板１１，１２を閉じた状態にて、その外形寸法を、例えば、３８０ｍｍ×３８０ｍｍ程度に設定することで、円弧状のくり抜き部Ｃの両側に、両足を載せることができるスペースを充分に確保することができる（図１参照）。従って、足場条件が、従来よりも格段に良好となり安定化するため、線路開閉器１の保守・点検作業の能率も向上する。なお、足場板１１，１２の厚さは、例えば、２２５ｍｍ程度、くり抜き部Ｃの内径は、例えば、１５３ｍｍ程度に設定することができる。また、簡易足場を９本の二段積み絶縁碍子２，２に取り付ける際に、図４に示すように、適当個数を予め用意して、例えば、３個程度を予めフランジ状部８に掛止させておいてもよく、単一の足場を順次掛止させるようにしてもよい。
【００１７】
〔実施の形態２〕
図５に示すように、掛止部１５を絶縁碍子２そのものに掛止させることもできる。即ち、図示の例では、２つの碍子片（本発明のフランジ状部）８に、それぞれ被嵌状態に掛止させるための２つの凹環状部を有する掛止部１５を、足場板１１，１２のくり抜き部Ｃの内面に形成している。そして、その凹環状部には、碍子片８に押圧状態で付勢当接する滑り止め用のゴム２１を内張りし、ロック部材１４で両足場板１１，１２をロックした状態では、簡易足場が２つの碍子片に廻り止め状態で安定に掛止固定されるようにしている。その他の構成については、前実施の形態と同様である。
【００１８】
なお、本発明は、実施の形態に限定されることなく、発明の要旨を逸脱しない限りにおいて、適宜、必要に応じて、改良や設計変更は自由であり、例えば、掛止部１５は、フランジ状部８に掛止させることができればよく、矩形の凹状等に形成されてもよく、その形状や構成の如何を問わない。また、掛止部１５を碍子片に掛止させる場合には、単一の碍子片に掛止させてもよく、３つの碍子片に掛止させるようにしてもよい。
【図面の簡単な説明】
【００１９】
【図１】本発明の実施の形態１に係る簡易足場の閉じた状態の平面図である。
【図２】同側面図である。
【図３】同フランジ状部に掛止させた簡易足場の側面図である。
【図４】同線路開閉器を点検している状態の説明図である。
【図５】本発明の実施の形態２に係る簡易足場を絶縁碍子に取り付けた状態の断面図である。
【図６】従来の線路開閉器を点検している足場状態の説明図である。
【符号の説明】
【００２０】
２…絶縁碍子、８…フランジ状部、１１，１２…足場板、１５…掛止部
【図１】
2006104796.tif 000003
【図２】
2006104796.tif 000004
【図３】
2006104796.tif 000005
【図４】
2006104796.tif 000006
【図５】
2006104796.tif 000007
【図６】
2006104796.tif 000008